(57)【特許請求の範囲】
【請求項１】
一度に処理することができる記録媒体の枚数が予め閾値として設定されていて、折り加工またはステープルの後処理を行った記録媒体の区切り処理を行う後処理装置と、
１つの冊子が分割された小冊子を構成する記録媒体の枚数を受け付ける受付手段と、
前記後処理装置を制御する制御手段と、
を有し、
前記制御手段は、
前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別するように制御し、
前記受付手段により受け付けられた記録媒体の枚数が、前記閾値以下である場合、複数の小冊子からなる印刷された冊子と次に印刷される冊子とを区別するように制御する
印刷装置。
【請求項２】
一度に処理することができる記録媒体の枚数が予め閾値として設定されていて、折り加工またはステープルの後処理を行った記録媒体の区切り処理を行う後処理装置を有する印刷装置において、
１つの冊子が分割された小冊子を構成する記録媒体の枚数を受付手段が受け付け、
前記後処理装置に、
前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別させるように制御し、
前記受付手段により受け付けられた記録媒体の枚数が、前記閾値以下である場合、複数の小冊子からなる印刷された冊子と次に印刷される冊子とを区別するように区切り処理を行わせる
印刷方法。
【請求項３】
コンピュータと、
一度に処理することができる記録媒体の枚数が予め閾値として設定されていて、折り加工またはステープルの後処理を行った記録媒体の区切り処理を行う後処理装置と、
を有する印刷装置において、
１つの冊子が分割された小冊子を構成する記録媒体数を受付手段が受け付ける受付ステップと、
前記後処理装置に、
前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別するように区切り処理を行わせ、
前記受付手段により受け付けられた記録媒体の枚数が、前記閾値以下である場合、複数の小冊子からなる印刷された冊子と次に印刷される冊子とを区別するように区切り処理を行わせる
制御ステップと、
を前記印刷装置のコンピュータに実行させるプログラム。
【発明の詳細な説明】
【技術分野】
【０００１】
本発明は、印刷装置、印刷方法及びプログラムに関する。
【背景技術】
【０００２】
この種の印刷制御装置は、印刷された用紙が束ねられ留められると１冊の本の形態になるように、印刷を制御する。印刷された用紙は、例えば、中折り機、中綴じ機等の後処理装置により、折り加工、綴じ処理等の後加工を施される。このようにして製本された冊子は、複数の小冊子から構成され、１つの小冊子は、複数の用紙から構成される。
【０００３】
特許文献１では、大量ページかつ大量部数の製本とじ出力を行うとき、ユーザが容易に文書の切れ目を判断できるデジタル複写機等の画像形成装置が開示されている。
【０００４】
【特許文献１】特開２００２−３７４３８８号公報
【発明の開示】
【発明が解決しようとする課題】
【０００５】
しかしながら、特許文献１に開示された手法では、小冊子の区切りがわからない。
【０００６】
本発明は、１つの冊子が複数の小冊子から構成されるように印刷する場合において、小冊子の区切りを認識することができる印刷装置、印刷方法及びプログラムを提供することを目的とする。
【課題を解決するための手段】
【０００９】
請求項１に係る本発明は、一度に処理することができる記録媒体の枚数が予め閾値として設定されていて、折り加工またはステープルの後処理を行った記録媒体の区切り処理を行う後処理装置と、１つの冊子が分割された小冊子を構成する記録媒体の枚数を受け付ける受付手段と、前記後処理装置を制御する制御手段と、を有し、前記制御手段は、前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別するように制御し、前記受付手段により受け付けられた記録媒体の枚数が、前記閾値以下である場合、複数の小冊子からなる印刷された冊子と次に印刷される冊子とを区別するように制御する印刷装置である。
【００１２】
請求項２に係る本発明は、一度に処理することができる記録媒体の枚数が予め閾値として設定されていて、折り加工またはステープルの後処理を行った記録媒体の区切り処理を行う後処理装置を有する印刷装置において、１つの冊子が分割された小冊子を構成する記録媒体の枚数を受付手段が受け付け、前記後処理装置に、前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別させるように制御し、前記受付手段により受け付けられた記録媒体の枚数が、前記閾値以下である場合、複数の小冊子からなる印刷された冊子と次に印刷される冊子とを区別するように区切り処理を行わせる印刷方法である。
【００１５】
請求項３に係る本発明は、コンピュータと、一度に処理することができる記録媒体の枚数が予め閾値として設定されていて、折り加工またはステープルの後処理を行った記録媒体の区切り処理を行う後処理装置と、を有する印刷装置において、１つの冊子が分割された小冊子を構成する記録媒体数を受付手段が受け付ける受付ステップと、前記後処理装置に、前記受付手段により受け付けられた記録媒体の枚数が、前記閾値を超える場合、前記閾値の枚数の記録媒体への後処理が終了した後には区切り処理を行わせず、前記受付手段により受け付けられた枚数の記録媒体への後処理が終了した後に、前記受付手段により受け付けられた記録媒体の枚数の記録媒体からなる印刷された小冊子と次に印刷される小冊子とを区別するように区切り処理を行わせ、前記受付手段により受け付けられた記録媒体の枚数が、前記閾値以下である場合、複数の小冊子からなる印刷された冊子と次に印刷される冊子とを区別するように区切り処理を行わせる制御ステップと、を前記印刷装置のコンピュータに実行させるプログラムである。
【発明の効果】
【００１６】
本発明によれば、１つの冊子が複数の小冊子から構成されるように印刷する場合において、小冊子の区切りを認識することができる。
【発明を実施するための最良の形態】
【００１７】
まず、本発明の背景と概略を説明する。
図１は、印刷された用紙の排出単位と、小冊子と、この小冊子がまとめられて構成される冊子との関係を示す図であって、図１（Ａ）は、折り加工が施されて排出される場合を示し、図１（Ｂ）は、折り加工が施されずに排出される場合を示す。なお、用紙は、２ツ折り加工を施されて排出され、小冊子は、３枚の用紙からなるものとする。また、冊子は、全２０ページで構成されるものとする。図中の数字は、ページ番号を示す。
【００１８】
図１（Ａ）に示すように、用紙が２ツ折り加工を施される場合、第１ページは、折り畳まれる用紙の外側の面に印刷され、第２ページは、第１ページの裏面に印刷される。また、第１２ページが、第１ページの隣に印刷され、第１１ページが、第１２ページの裏面に印刷される。なお、このような割付印刷処理を、面付けともいう。
【００１９】
後処理装置は、面付けされた用紙に対して折り加工等の後処理を施して排出する。後処理装置では、後処理を一度に行うことができる用紙数に、上限値が設けられていることがある。この場合、排出単位（一度に排出される用紙数）又は折り単位（一度に折り加工される用紙数）は、この上限値以下に設定される。例えば、上限値が２枚である場合、２枚の用紙が、折り加工を施され排出単位１で排出され、次に、２枚の用紙が、同様にして排出単位２で排出され、さらに、１枚の用紙が、排出単位３で排出される。
【００２０】
後処理装置は、冊子に含まれる用紙の排出を終了する毎に、又は排出単位で、区切り処理を行う。例えば、後処理装置は、区切り処理として、用紙の排出位置（トレイ）を変更する。
【００２１】
ところで、小冊子は、３枚の用紙で構成されるので、排出単位（本例では、２枚）をまとめて構成されることはできない。したがって、用紙が排出された後、排出単位２に含まれる用紙を分割し、１枚目の用紙を排出単位１に含め、２枚目の用紙を排出単位３に含める必要がある。しかしながら、排出単位２に含まれる用紙は、同一の位置に排出されるので、その前の排出単位（排出単位１）に含まれるべき用紙と、その次の排出単位（排出単位３）に含まれるべき用紙との区切りは認識されることができない。
【００２２】
なお、折り加工は、本例に限定されず、例えば、巻き４折り等のその他の平行折り、８ページ回し折り、１６ページ回し折り等の直角折り等、いかなる種類の折り方であってもよい。また、小冊子を構成する用紙数も、本例に限定されない。
【００２３】
また、図１（Ｂ）に示すように、折り加工が用紙に施されない場合、用紙は、同一の排出位置に排出される。この場合においても、区切り処理は、１部目の冊子に含まれる用紙の排出が終了した後に行われるので、同一の冊子に含まれる用紙は、排出後、小冊子単位に仕分けられる必要がある。
【００２４】
図２は、本発明に係る印刷制御装置により制御された用紙の排出単位と、小冊子と、この小冊子がまとめられて構成される冊子との関係を示す図であって、図１（Ａ）は、折り加工が施されて排出される場合を示し、図１（Ｂ）は、折り加工が施されずに排出される場合を示す。なお、折り加工、小冊子、ページ数等に関する条件は、図１に示されたものと同一とする。
【００２５】
図２（Ａ）及び図２（Ｂ）に示すように、本発明に係る印刷制御装置では、区切り処理は、小冊子単位及び冊子単位で行われる。より具体的には、本発明に係る印刷制御装置は、小冊子に含まれる用紙数を受け付け、この用紙数の用紙からなる印刷された小冊子と次に印刷される小冊子とを区別するように制御する。
【００２６】
したがって、例えば、小冊子１に含まれる用紙は、第１の排出位置に排出され、小冊子２に含まれる用紙は、第１の排出位置とは異なる第２の排出位置に排出される。また例えば、小冊子１に含まれる用紙と小冊子２に含まれる用紙との間に、この用紙とは色（又は大きさ）が異なる用紙が排出される。このため、小冊子に含まれる用紙数が排出単位の用紙数を超える場合においても、小冊子の区切りを認識することができる。
以下、本発明の実施形態に係る印刷制御装置を説明する。
【００２７】
図３は、本発明の実施形態に係る印刷システム１を示す図である。
図３に示すように、印刷システム１は、端末装置１４及び印刷装置１０を有する。端末装置１４と印刷装置１０とは、ＬＡＮ、ＷＡＮ等のネットワーク１６を介して接続されており、互いにデータの送信及び受信を行う。印刷装置１０には、印刷制御装置２、画像出力装置３及び後処理装置４が含まれている。なお、印刷制御装置２は、印刷装置１０に含まれていなくてもよく、ネットワーク１６を介して画像出力装置３及び後処理装置４と接続されてもよい。
【００２８】
端末装置１４は、文字、グラフィック等が所定のページ記述言語（ＰＤＬ）等により記載された文書データを、ネットワーク１６を介して印刷制御装置２に対して送信する。端末装置１４は、例えば、データ出力装置としてのホストコンピュータである。
【００２９】
印刷装置１０において、印刷制御装置２は、端末装置１４から送信された文書データを受け付け、文書データに基づいて画像を描画し、複数のページが１枚の用紙に印刷されるように面付けを行って印刷データを生成し、この印刷データを画像出力装置３に対して出力する。
【００３０】
画像出力装置３は、例えば、プリンタ、複写機等であり、例えば用紙、ＯＨＰ用シート等の記録媒体に画像を形成する像形成部を有する。画像出力装置３は、印刷制御装置２から出力される印刷データを受け付けると、印刷データに基づいて記録媒体に画像を形成し、この記録媒体を後処理装置４に排出する。なお、像形成部は、例えば、電子写真方式、インクジェット方式等、いずれの方式により実現されてもよい。
【００３１】
後処理装置４は、画像出力装置３から排出される用紙を受け入れ、折り加工、ステープル、ソート等の後処理を行う。例えば、後処理装置４は、複数の用紙のそれぞれを折り畳んで折り丁を生成し、所定の単位の折り丁をまとめて排出する。また、後処理装置４には、複数の排出部１２−１，１２−２が設けられている。排出部は、例えばトレイなどにより実現される。なお、後処理装置４には、３以上の排出部１２が設けられてもよい。
【００３２】
後処理装置４は、小冊子単位で、区切り処理を行う。例えば、後処理装置４は、印刷された小冊子とその次に印刷される小冊子とが区別されるように、異なる排出部１２に排出する。また例えば、後処理装置４は、小冊子単位の区切り処理として、同一の排出部１２において水平方向にずらされた位置に小冊子を排出してもよい。また例えば、後処理装置４は、小冊子単位の区切り処理として、小冊子と小冊子との間に、色（又は大きさ）が異なる用紙を排出してもよい。
【００３３】
さらに、後処理装置４は、冊子単位で、区切り処理を行う。例えば、後処理装置４は、印刷された冊子と次に印刷される冊子とが区別されるように、異なる排出部１２に排出する。また例えば、後処理装置４は、冊子単位の区切り処理として、同一の排出部１２において、小冊子を区切る場合と比較してさらに水平方法にずらされた位置に冊子を排出してもよい。また例えば、後処理装置４は、冊子単位の区切り処理として、冊子と冊子との間に、小冊子を区切る場合とは色（又は大きさ）が異なる用紙を排出してもよい。
【００３４】
図４は、本発明の実施形態に係る印刷制御装置２のハードウェア構成を示す図である。
図４に例示するように、印刷制御装置２は、ＣＰＵ１８、メモリ２０、ハードディスク駆動装置等の記憶装置２２、ＦＤ、ＣＤ、ＤＶＤあるいはテープ等の記録媒体に対してデータの書込み・読出し処理を行う記録媒体インタフェース（ＩＦ）２４、タッチパネル又は液晶ディスプレイ及びキーボードを含むユーザインタフェース（ＵＩ）装置２６、ネットワーク１６を介して端末装置１４など外部のコンピュータとの間でデータの通信を行う通信ＩＦ２８、及び画像出力装置３や後処理装置４に対して印刷データや所定の信号を出力する印刷ＩＦ３０を有する。これらの構成要素は、システムバス３２を介して互いに接続されている。印刷制御装置２は、例えば、後述する印刷制御プログラム４０がインストールされた汎用コンピュータである。
【００３５】
図５は、本発明の実施形態に係る印刷制御装置２による印刷制御処理を実現する印刷制御プログラム４０の機能構成を示す図である。
図５に示すように、印刷制御プログラム４０には、文書データ受付部４２、画像生成部４４、面付け部４６、印刷データ生成部４８、画像データ記憶部５０、構成情報受付部５２、区切り制御部５４、小冊子カウンタ５６及び折りカウンタ５８を有する。なお、印刷制御プログラム４０の全部又は一部の機能は、印刷制御装置２に設けられたハードウェアにより実現されてもよい。
【００３６】
印刷制御プログラム４０において、画像データ記憶部５０は、後述する画像生成部４４及び面付け部４６により生成される画像データを記憶する。画像データ記憶部５０は、メモリ２０及び記憶装置２２の少なくともいずれかにより実現される。
【００３７】
文書データ受付部４２は、端末装置１４から送信される印刷対象の文書データを、通信ＩＦ２８を介して受け付ける。文書データ受付部４２は、ＤＶＤ、テープ等の記録媒体を介して記録媒体ＩＦ２４により読み込まれた文書データを受け付けてもよい。
【００３８】
画像生成部４４は、文書データ受付部４２により受け付けられた文書データを解析し、文書データに含まれるページ分の画像を描画し、所定の画像処理を行って画像データを生成する。画像処理には、例えば、２値化処理、色変換処理、階調補正処理等が含まれる。画像生成部４４は、生成した画像データを画像データ記憶部５０に格納する。
【００３９】
面付け部４６は、画像生成部４４により生成されて画像データ記憶部５０に記憶されている画像データを読み込んで、後述する構成情報受付部５２により受け付けられた構成情報に基づいて、画像を面付けし、面付け後の画像データを生成する。面付け部４６は、生成した画像データを画像データ記憶部５０に格納する。
【００４０】
印刷データ生成部４８は、面付け部４６により面付けされて画像データ記憶部５０に記憶されている画像データに基いて印刷データを生成し、１ページ（物理ページ）毎、印刷データを画像出力装置３に対して出力する。また、印刷データ生成部４８は、１ページ分の印刷データを出力する毎に、その旨を後述する区切り制御部５４に対して出力する。さらに、印刷データ制御部４８は、全ページ分の印刷データの出力を終了した場合、その旨を区切り制御部５４に対して出力する。
【００４１】
構成情報受付部５２は、ＵＩ装置２６を介して入力される又は通信ＩＦ２８を介して受信される構成情報を受け付け、区切り制御部５４及び面付け部４６に対して出力する。構成情報には、例えば、小冊子を構成する用紙数、折り加工における折り方、製本の仕方等に関する情報が含まれる。
【００４２】
区切り制御部５４は、受け付けられた構成情報に含まれている小冊子を構成する用紙数の用紙からなる印刷された小冊子と、次に印刷される小冊子とを区別するように制御する。また、区切り制御部５４は、全ページ分の印刷データの出力が終了した旨を印刷データ生成部４８から受け付けた場合、印刷された冊子と次に印刷される冊子とを区別するように制御する。区切り制御部５４は、後処理装置４に対して制御信号を出力することにより、制御を行う。
【００４３】
具体的には、区切り制御部５４は、印刷データ生成部４８から印刷された用紙数を受け付け、後述する小冊子カウンタ５６及び折りカウンタ５８を制御し、小冊子カウンタ５６及び折りカウンタ５８によりカウントされる小冊子カウント値及び折りカウント値に基いて、小冊子の排出位置を制御するタイミングを判断する。
【００４４】
例えば、区切り制御部５４は、小冊子を構成する用紙数（第１の用紙数）が、後処理装置４の排出単位を構成する用紙数（第２の用紙数）を超える場合、印刷された小冊子と次に印刷される小冊子とを区別するように制御し、第１の用紙数が第２の用紙数以下である場合、複数の小冊子からなる印刷された冊子と次に印刷される冊子とを区別するように制御する。
【００４５】
小冊子カウンタ５６は、区切り制御部５４に制御され、小冊子カウント値をカウントする。小冊子カウント値は、小冊子の区切りを判断するために用いられる。
【００４６】
折りカウンタ５８は、区切り制御部５４に制御され、折りカウント値をカウントする。折りカウント値は、排出単位を判断するために用いられる。排出単位は、後処理装置４に依存する。例えば、排出単位は、後処理装置４において一度に折り加工が行われることが可能である用紙数以下の値である。
【００４７】
図６は、印刷制御装置２による印刷制御処理（Ｓ１０）のフローチャートを示す図である。なお、印刷制御プログラム４０は、印刷制御装置２上で動作している。
図６に示すように、ステップ１００（Ｓ１００）において、印刷制御プログラム４０の構成情報受付部５２は、小冊子を構成する用紙数等を含む構成情報を受け付ける。
ステップ１０２（Ｓ１０２）において、文書データ受付部４２は、送信される文書データを受け付ける。
【００４８】
ステップ１０４（Ｓ１０４）において、画像生成部４４は、受け付けられた文書データを解析し、画像を描画する。画像生成部４４は、生成した画像データを画像データ記憶部５０に格納する。
ステップ１０６（Ｓ１０６）において、面付け部４６は、画像データを読み込んで、構成情報に含まれる折り加工における折り方に基いて、画像データに含まれる各ページ画像を面付けし、面付け後の画像データを生成する。面付け部４６は、生成した画像データを画像データ記憶部５０に格納する。
【００４９】
ステップ１０８（Ｓ１０８）において、区切り制御部５４は、小冊子カウント値及び折りカウント値を初期化する。具体的には、区切り制御部５４は、小冊子カウント値及び折りカウント値を０にする。
【００５０】
ステップ１１０（Ｓ１１０）において、印刷データ生成部４８は、画像データ記憶部５０に記憶されている面付け後の画像データを読み込み、用紙１枚分（物理ページ）の印刷データを生成し、画像出力装置３に対して出力する。ここで、印刷データには、複数の論理ページ（面付け後の各ページ画像）が含まれている。画像出力装置３は、印刷データを受け付け、用紙に印刷する。後処理装置４は、画像出力装置３により印刷された用紙を受け入れ、所定の後処理を行う。
【００５１】
ステップ１１２（Ｓ１１２）において、印刷データ生成部４８は、１枚分の印刷を行った旨の信号を区切り制御部５４に対して出力する。区切り制御部５４は、小冊子カウンタ５６及び折りカウンタ５８を制御し、小冊子カウント値及び折りカウント値を１増加する。
【００５２】
ステップ１１４（Ｓ１１４）において、区切り制御部５４は、小冊子カウント値が、小冊子を構成する用紙数（閾値Ａ）であるか否かを判定する。区切り制御部５４は、小冊子カウント値が閾値Ａである場合にはＳ１１６の処理に進み、そうでない場合にはＳ１２０の処理に進む。
【００５３】
ステップ１１６（Ｓ１１６）において、区切り制御部５４は、小冊子カウンタ５６を制御し、小冊子カウント値をリセットする。具体的には、区切り制御部５４は、小冊子カウント値を０にする。
【００５４】
ステップ１１８（Ｓ１１８）において、区切り制御部５４は、小冊子単位の区切り処理のための制御信号を、後処理装置４に対して出力する。後処理装置４は、制御信号を受け付けると、小冊子単位の区切り処理を行う。具体的には、後処理装置４は、印刷された小冊子と次の印刷される小冊子とが区別されるようにする。例えば、後処理装置４は、小冊子に含まれる用紙を、その前の小冊子に含まれる用紙とは異なる排出部１２に排出する。
【００５５】
ステップ１２０（Ｓ１２０）において、区切り制御部５４は、折りカウント値が、後処理装置４の排出単位を構成する用紙数（閾値Ｂ）であるか否かを判定する。区切り制御部５４は、折りカウント値が閾値Ｂである場合にはＳ１２２の処理に進み、そうでない場合にはＳ１２４の処理に進む。
【００５６】
ステップ１２２（Ｓ１２２）において、区切り制御部５４は、折りカウンタ５８を制御し、折りカウント値をリセットする。具体的には、区切り制御部５４は、折りカウント値を０にする。
【００５７】
ステップ１２４（Ｓ１２４）において、印刷データ生成部４８は、全ページ分の印刷を終了したか否かを判定する。印刷データ生成部４８は、全ページ分の印刷を終了した場合にはＳ１２６の処理に進み、そうでない場合にはＳ１１０の処理に進んで次のページに関する処理を行う。
【００５８】
ステップ１２６（Ｓ１２６）において、印刷データ生成部４８は、全ページ分の印刷を終了した旨を区切り制御部５４に対して出力する。区切り制御部５４は、冊子単位の区切り処理のための制御信号を、後処理装置４に対して出力する。後処理装置４は、制御信号を受け付けると、冊子単位の区切り処理を行う。したがって、印刷データ生成部４８は、印刷された冊子と次に印刷される冊子とを区別するように制御する制御手段を構成する。
【００５９】
さらに、印刷データ生成部４８は、全部数の印刷を終了したか否かを判定する。印刷データ生成部４８は、全部数の印刷を終了した場合には処理を終了し、そうでない場合にはＳ１０８の処理に進んで、次の冊子に関する処理を行う。
【図面の簡単な説明】
【００６０】
【図１】印刷された用紙の排出単位と、小冊子と、この小冊子がまとめられて構成される冊子との関係を示す図であって、図１（Ａ）は、折り加工が施されて排出される場合を示し、図１（Ｂ）は、折り加工が施されずに排出される場合を示す。
【図２】本発明に係る印刷制御装置により制御された用紙の排出単位と、小冊子と、この小冊子がまとめられて構成される冊子との関係を示す図であって、図１（Ａ）は、折り加工が施されて排出される場合を示し、図１（Ｂ）は、折り加工が施されずに排出される場合を示す。
【図３】本発明の実施形態に係る印刷システム１を示す図である。
【図４】本発明の実施形態に係る印刷制御装置２のハードウェア構成を示す図である。
【図５】本発明の実施形態に係る印刷制御装置２による印刷制御処理を実現する印刷制御プログラム４０の機能構成を示す図である。
【図６】印刷制御装置２による印刷制御処理（Ｓ１０）のフローチャートを示す図である。
【符号の説明】
【００６１】
１ 印刷システム
２ 印刷制御装置
３ 画像出力装置
４ 後処理装置
１０ 印刷装置
１２ 排出部
１８ ＣＰＵ
２０ メモリ
２２ 記憶装置
２６ ＵＩ装置
４０ 印刷制御プログラム
４２ 文書データ受付部
４４ 画像生成部
４６ 面付け部
４８ 印刷データ生成部
５０ 画像データ記憶部
５２ 構成情報受付部
５４ 区切り制御部
５６ 小冊子カウンタ
５８ 折りカウンタ
【図１】
0005046184.tif 000002
【図２】
0005046184.tif 000003
【図３】
0005046184.tif 000004
【図４】
0005046184.tif 000005
【図５】
0005046184.tif 000006
【図６】
0005046184.tif 000007